(57)【要約】【課題】光の利用効率が高いマイクロレンズアレイとその製造方法とを提供する。【解決手段】マイクロレンズアレイ１０は、単位セル群ＵＧと、単位セル群ＵＧに配置された第１レンズＭＬ１と第２レンズＭＬ２とを含み、第１レンズＭＬ１の平面視に於ける方向と第２レンズＭＬ２の平面視に於ける方向とは異なる。斯うすると、レンズの規則性に起因する回折を抑制できる。従って、光の利用効率が高いマイクロレンズアレイ１０を実現できる。【選択図】図４
2015138078.tif 000002
【特許請求の範囲】
【請求項１】
第１レンズと第２レンズとを含み、
前記第１レンズの平面視に於ける方向である第１レンズ方向と前記第２レンズの平面視に於ける方向である第２レンズ方向とは異なる事を特徴とするマイクロレンズアレイ。
【請求項２】
単位セル群を備え、
前記単位セル群にはＭ×Ｎ個（Ｍは１以上の整数、Ｎは２以上の整数）のレンズが配置され、
前記Ｍ×Ｎ個のレンズの各々の平面視に於ける方向は異なっている事を特徴とする請求項１に記載のマイクロレンズアレイ。
【請求項３】
前記第１レンズ方向が第一方向に対してなす角度を第１レンズ角θ１とし、
前記第２レンズ方向が第一方向に対してなす角度を第２レンズ角θ２とした際に、
前記第１レンズ角θ１と前記第２レンズ角θ２とは−１５°以上＋１５°以下の範囲にある事を特徴とする請求項１又は２に記載のマイクロレンズアレイ。
【請求項４】
前記単位セル群が前記第一方向に繰り返し配列されている事を特徴とする請求項１乃至３のいずれか一項に記載のマイクロレンズアレイ。
【請求項５】
前記単位セル群は第１単位セル群と第２単位セル群とを有し、
前記第１単位セル群と前記第２単位セル群とでは、前記第１レンズと前記第２レンズとの配置関係が異なっている事を特徴とする請求項１乃至３のいずれか一項に記載のマイクロレンズアレイ。
【請求項６】
前記単位セル群は第１単位セル群と第２単位セル群とを有し、
前記第１単位セル群に配置されるレンズの数と前記第２単位セル群に配置されるレンズの数とが異なっている事を特徴とする請求項１乃至３のいずれか一項に記載のマイクロレンズアレイ。
【請求項７】
第一透光性材を形成する工程と、
前記第一透光性材上に第１開口部と第２開口部とを有するマスク層を形成する工程と、
前記マスク層を介して前記第一透光性材に等方性エッチングを施す事に依り、前記第一透光性材に凹部を形成する工程と、
前記凹部を前記第一透光性材の屈折率とは異なる屈折率を有する第二透光性材にて埋め込む工程と、を含み、
前記第１開口部の平面視に於ける方向と前記第２開口部の平面視に於ける方向とが異なる事を特徴とするマイクロレンズアレイの製造方法。
【請求項８】
第二透光性材を形成する工程と、
前記第二透光性材上に第１形状をなすフォトレジストと第２形状をなすフォトレジストとを形成する工程と、
前記第１形状をなすフォトレジストと前記第２形状をなすフォトレジストとをリフローさせる工程と、
前記第１形状をなすフォトレジストと前記第２形状をなすフォトレジストと前記第二透光性材とに異方性エッチングを施す事に依り、前記第二透光性材に凸部を形成する工程と、
前記凸部を前記第二透光性材の屈折率とは異なる屈折率を有する第一透光性材にて覆う工程と、を含み、
前記第１形状の平面視に於ける方向と前記第２形状の平面視に於ける方向とが異なる事を特徴とするマイクロレンズアレイの製造方法。
【請求項９】
請求項１乃至６のいずれか一項に記載のマイクロレンズアレイを備えた事を特徴とする電気光学装置。
【請求項１０】
請求項７又は８に記載のマイクロレンズアレイの製造方法にて製造されたマイクロレンズアレイを備えた事を特徴とする電気光学装置。
【請求項１１】
請求項９又は１０に記載の電気光学装置を備えた事を特徴とする電子機器。
【発明の詳細な説明】
【技術分野】
【０００１】
本発明は、マイクロレンズアレイ、マイクロレンズアレイの製造方法、電気光学装置、及び電子機器に関する。
【背景技術】
【０００２】
素子基板と対向基板との間に液晶等の電気光学材料を備えた電気光学装置が知られている。電気光学装置として、例えば、プロジェクターの液晶ライトバルブとして用いられる液晶装置等を挙げる事ができる。この様な液晶装置に於いては、高い光の利用効率を実現する事が求められている。
【０００３】
液晶装置は、素子基板上の画素に画素電極を駆動するＴＦＴ素子や配線等が設けられ、これらと平面的に重なる様に遮光層が設けられている。その為に、入射する光の一部は遮光層で遮光されて利用されない。そこで、特許文献１に記載されている様に、液晶装置の素子基板及び対向基板の少なくとも一方に、マイクロレンズが配列されたマイクロレンズアレイを備える事により、入射した光をマイクロレンズで集光して光の利用効率を高める構成が知られている。
【先行技術文献】
【特許文献】
【０００４】
【特許文献１】特開２００４−７０２８２号公報
【発明の概要】
【発明が解決しようとする課題】
【０００５】
しかしながら、特許文献１に記載のマイクロレンズアレイでは、光の利用効率が悪いという課題があった。一般に、マイクロレンズアレイを備えた液晶装置では、画素が規則的（周期的）に配列されている為、液晶装置の高精細化に伴い画素が小さくなると共に、入射光が画素にて回折され易くなる。強い回折光が生ずると液晶装置から出射された光束の立体角は大きくなる。斯うしたマイクロレンズアレイを備えた液晶装置をプロジェクターの液晶ライトバルブとして用いると、液晶装置から出射される光の広がり角度が、投射レンズのＦ値が規定する入射角を超える事がある。その場合、液晶装置から出射される光の一部は投射レンズに入射されず、その結果、スクリーンに投射される光量が低下する事になる。この様に特許文献１に記載のマイクロレンズアレイでは、液晶装置にマイクロレンズアレイを適応しても、明るさの向上が限られていた。換言すると、従来のマイクロレンズアレイでは、光の利用効率を十分に高め難いという課題があった。
【課題を解決するための手段】
【０００６】
本発明は、上述の課題の少なくとも一部を解決する為になされたものであり、以下の形態又は適用例として実現する事が可能である。
【０００７】
（適用例１）  本適用例に係わるマイクロレンズアレイは、第１レンズと第２レンズとを含み、第１レンズの平面視に於ける方向である第１レンズ方向と第２レンズの平面視に於ける方向である第２レンズ方向とは異なる事を特徴とする。
この構成によれば、レンズの規則性に起因する回折を抑制できる。従って、光の利用効率が高いマイクロレンズアレイを実現できる。
【０００８】
（適用例２）  上記適用例１に記載のマイクロレンズアレイに於いて、単位セル群を備え、単位セル群にはＭ×Ｎ個（Ｍは１以上の整数、Ｎは２以上の整数）のレンズが配置され、Ｍ×Ｎ個のレンズの各々の平面視に於ける方向は異なっている事が好ましい。
この構成によれば、レンズの規則性に起因する回折を抑制できる。従って、光の利用効率が高いマイクロレンズアレイを実現できる。
【０００９】
（適用例３）  上記適用例１又は２に記載のマイクロレンズアレイに於いて、第１レンズ方向が第一方向に対してなす角度を第１レンズ角θ１とし、第２レンズ方向が第一方向に対してなす角度を第２レンズ角θ２とした際に、第１レンズ角θ１と第２レンズ角θ２とは−１５°以上＋１５°以下の範囲にある事が好ましい。
単位セル群は複数個のセルを含み、各セルにマイクロレンズが配置される。この構成によれば、セル内でマイクロレンズが配置されない領域を小さくする事ができる。従って、セルに入射した入射光を効率良く集光する事ができ、光の利用効率が高いマイクロレンズアレイを実現できる。
【００１０】
（適用例４）  上記適用例１乃至３のいずれか一項に記載のマイクロレンズアレイに於いて、単位セル群が第一方向に繰り返し配列されている事が好ましい。
この構成によれば、レンズの規則性に起因する回折を抑制できる。従って、光の利用効率が高いマイクロレンズアレイを実現できる。
【００１１】
（適用例５）  上記適用例１乃至３のいずれか一項に記載のマイクロレンズアレイに於いて、単位セル群は第１単位セル群と第２単位セル群とを有し、第１単位セル群と第２単位セル群とでは、第１レンズと第２レンズとの配置関係が異なっている事が好ましい。
この構成によれば、レンズの規則性に起因する回折を抑制できる。従って、光の利用効率が高いマイクロレンズアレイを実現できる。
【００１２】
（適用例６）  上記適用例１乃至３のいずれか一項に記載のマイクロレンズアレイに於いて、単位セル群は第１単位セル群と第２単位セル群とを有し、第１単位セル群に配置されるレンズの数と第２単位セル群に配置されるレンズの数とが異なっている事が好ましい。
この構成によれば、レンズの規則性に起因する回折を抑制できる。従って、光の利用効率が高いマイクロレンズアレイを実現できる。
【００１３】
（適用例７）  本適用例に係わるマイクロレンズアレイの製造方法は、第一透光性材を形成する工程と、第一透光性材上に第１開口部と第２開口部とを有するマスク層を形成する工程と、マスク層を介して第一透光性材に等方性エッチングを施す事に依り、第一透光性材に凹部を形成する工程と、凹部を第一透光性材の屈折率とは異なる屈折率を有する第二透光性材にて埋め込む工程と、を含み、第１開口部の平面視に於ける方向と第２開口部の平面視に於ける方向とが異なる事を特徴とする。
この方法によれば、レンズの規則性に起因する回折を抑制できる。従って、光の利用効率が高いマイクロレンズアレイを実現できる。
【００１４】
（適用例８）  本適用例に係わるマイクロレンズアレイの製造方法は、第二透光性材を形成する工程と、第二透光性材上に第１形状をなすフォトレジストと第２形状をなすフォトレジストとを形成する工程と、第１形状をなすフォトレジストと第２形状をなすフォトレジストとをリフローさせる工程と、第１形状をなすフォトレジストと第２形状をなすフォトレジストと第二透光性材とに異方性エッチングを施す事に依り、第二透光性材に凸部を形成する工程と、凸部を第二透光性材の屈折率とは異なる屈折率を有する第一透光性材にて覆う工程と、を含み、第１形状の平面視に於ける方向と第２形状の平面視に於ける方向とが異なる事を特徴とする。
この方法によれば、レンズの規則性に起因する回折を抑制できる。従って、光の利用効率が高いマイクロレンズアレイを実現できる。
【００１５】
（適用例９）  上記適用例１乃至６のいずれか一項に記載のマイクロレンズアレイを備えた事を特徴とする電気光学装置。
この構成によれば、光の利用効率が高く、明るい表示を可能とする電気光学装置を実現する事ができる。
【００１６】
（適用例１０）  上記適用例７又は８に記載のマイクロレンズアレイの製造方法にて製造されたマイクロレンズアレイを備えた事を特徴とする電気光学装置。
この構成によれば、光の利用効率が高く、明るい表示を可能とする電気光学装置を実現する事ができる。
【００１７】
（適用例１１）  上記適用例９又は１０に記載の電気光学装置を備えた事を特徴とする電子機器。
この構成によれば、光の利用効率が高く、明るい表示を可能とする電気光学装置を備えて電子機器を実現する事ができる。
【図面の簡単な説明】
【００１８】
【図１】実施形態１に係る液晶装置の構成を示す概略平面図。
【図２】実施形態１に係る液晶装置の電気的な構成を示す等価回路図。
【図３】実施形態１に係る液晶装置の構成を示す概略断面図。
【図４】実施形態１に係るマイクロレンズアレイの構成を説明する平面図。
【図５】実施形態１に係るマイクロレンズを説明する平面図。
【図６】実施形態１に係るマイクロレンズアレイの平面的なセル配置を説明する図。
【図７】実施形態１に係るマイクロレンズアレイの製造方法を示す概略断面図。
【図８】実施形態１に係るマイクロレンズアレイの製造方法を示す概略断面図。
【図９】実施形態１に係る電子機器としてのプロジェクターの構成を示す概略図。
【図１０】実施形態２に係わるマイクロレンズアレイの一例を説明した図。
【図１１】実施形態３に係わるマイクロレンズアレイの一例を説明した図。
【図１２】実施形態４に係わるマイクロレンズアレイの一例を説明した図。
【図１３】実施形態５に係るマイクロレンズアレイの製造方法を示す概略断面図。
【図１４】変形例１に係わるマイクロレンズの一例を説明した図。
【発明を実施するための形態】
【００１９】
以下、本発明を具体化した実施形態について図面を参照して説明する。使用する図面は、説明する部分が認識可能な状態となる様に、適宜拡大、縮小、あるいは誇張して表示している。また、説明に必要な構成要素以外は図示を省略する場合がある。
【００２０】
尚、以下の形態に於いて、「基板上に」と記載された場合、基板の上に接する様に配置される場合、又は基板の上に他の構成物を介して配置される場合、又は基板の上に一部が接する様に配置され、一部が他の構成物を介して配置される場合を表す物とする。
【００２１】
（実施形態１）
「電気光学装置」
ここでは、電気光学装置として、薄膜トランジスター（Ｔｈｉｎ  Ｆｉｌｍ  Ｔｒａｎｓｉｓｔｏｒ：ＴＦＴ）を画素のスイッチング素子として備えたアクティブマトリックス型の液晶装置を例に挙げて説明する。この液晶装置は、例えば、後述する投射型表示装置（プロジェクター）の光変調素子（液晶ライトバルブ）として好適に用いる事ができる。
【００２２】
図１は、実施形態１に係る液晶装置の構成を示す概略平面図である。図２は、実施形態１に係る液晶装置の電気的な構成を示す等価回路図である。図３は、実施形態１に係る液晶装置の構成を示す概略断面図であり、詳しくは、図１のＡ−Ａ’線に沿った一部の概略断面図である。まず、実施形態１に係る液晶装置１について、図１と図２、及び図３を参照して説明する。
【００２３】
図１及び図３に示す様に、実施形態１に係る液晶装置１は、第一基板としての素子基板２０と、素子基板２０に対向配置された第二基板としての対向基板３０と、シール材４２と、電気光学材料としての液晶４０とを備えている。素子基板２０と対向基板３０とは、対向配置されている。図１に示す様に、素子基板２０は対向基板３０よりも大きく、両基板は、対向基板３０の縁部に沿って枠状に配置されたシール材４２を介して接合されている。
【００２４】
図１に示す様に、液晶４０は、素子基板２０と対向基板３０とシール材４２とに依って囲まれた空間に挟持されており、正又は負の誘電異方性を有している。シール材４２は、例えば熱硬化性又は紫外線硬化性のエポキシ樹脂等の接着剤からなる。シール材４２には、素子基板２０と対向基板３０との間隔を一定に保持する為のスペーサー（図示省略）が混入されている。
【００２５】
枠状に配置されたシール材４２の内側には、枠状の周縁部を有する遮光部としての遮光層２２や遮光層２６、遮光層３２が設けられている。遮光層２２や遮光層２６、遮光層３２は、例えば遮光性の金属あるいは金属酸化物等からなる。遮光層２２や遮光層２６、遮光層３２の内側は、複数の画素Ｐが配列された表示領域Ｅとなっている。画素Ｐは、例えば、略矩形状を有し、行列状に配列されている。
【００２６】
表示領域Ｅは、液晶装置１に於いて、実質的に表示に寄与する領域である。尚、液晶装置１は、表示領域Ｅの周囲を囲む様に設けられた、実質的に表示に寄与しないダミー領域を備えていても良い。
【００２７】
素子基板２０の第一外周辺に沿って形成されたシール材４２の表示領域Ｅと反対側には、第一外周辺に沿ってデータ線駆動回路５１及び複数の外部接続端子５４が設けられている。又、その第一外周辺に対向する他の第二外周辺に沿ったシール材４２の表示領域Ｅ側には、検査回路５３が設けられている。更に、これら二つの外周辺と直交し互いに対向する他の二つの外周辺に沿ったシール材４２の内側には、走査線駆動回路５２が設けられている。
【００２８】
検査回路５３が設けられた第二外周辺のシール材４２の表示領域Ｅ側には、２つの走査線駆動回路５２を繋ぐ複数の配線５５が設けられている。データ線駆動回路５１や走査線駆動回路５２に繋がる配線は、複数の外部接続端子５４に接続されている。又、対向基板３０の四つの隅には、素子基板２０と対向基板３０との間で電気的導通を取る為の上下導通部５６が設けられている。尚、検査回路５３の配置はこの構成に限定されず、データ線駆動回路５１と表示領域Ｅとの間のシール材４２の内側に沿った位置に設けても良い。
【００２９】
以下の説明では、データ線駆動回路５１が設けられた第一外周辺に沿った方向を第一方向（Ｘ方向）とし、この第一外周辺と直交する方向を第二方向（Ｙ方向）とする。Ｘ方向は、図１のＡ−Ａ’線に平行な方向である。又、Ｘ方向及びＹ方向と直交し図１における上方に向かう方向をＺ方向とする。本明細書では、液晶装置１の対向基板３０側表面の法線方向（Ｚ方向）から見る事を「平面視」と称する。
【００３０】
表示領域Ｅに於いて、画素Ｐを平面的に区画する様に、各画素Ｐの境界部に遮光層２２ａと遮光層２６ａ（図３参照）とが、格子状に設けられている。要するに、素子基板２０には、遮光層２２ａと遮光層２６ａとで、Ｘ方向とＹ方向とに沿ったブラックマトリックスが格子状に設けられている。この様に、画素Ｐは、遮光層２２ａと遮光層２６ａとからなるブラックマトリックスに依って格子状に区画されており、画素Ｐで遮光層２２ａと遮光層２６ａとに平面視で重ならない領域が画素Ｐに於ける開口領域（光変調部）となる。
【００３１】
図２に示す様に、表示領域Ｅには、走査線２とデータ線３とが互いに交差する様に形成され、走査線２とデータ線３との交差に対応して画素Ｐが設けられている。画素Ｐの其々には、画素電極２８とスイッチング素子であるＴＦＴ２４とが設けられている。
【００３２】
ＴＦＴ２４のソースドレインの一方は、データ線駆動回路５１から延在するデータ線３に電気的に接続されている。データ線３には、データ線駆動回路５１（図１参照）から画像信号Ｓ１，Ｓ２，…，Ｓｎが供給される。ＴＦＴ２４のゲートは、走査線駆動回路５２から延在する走査線２の一部に電気的に接続されている。走査線２には、走査線駆動回路５２から走査信号Ｇ１，Ｇ２，…，Ｇｍが供給される。ＴＦＴ２４のソースドレインの他方は画素電極２８に電気的に接続されている。
【００３３】
画像信号Ｓ１，Ｓ２，…，Ｓｎは、ＴＦＴ２４を一定期間だけオン状態とする事により、データ線３を介して画素電極２８に所定のタイミングで書き込まれる。画素Ｐには、画素電極２８に供給された画像信号Ｓ１，Ｓ２，…，Ｓｎを維持する為に、走査線２に沿って形成された容量線４と画素電極２８との間に蓄積容量５が形成されている。蓄積容量５は液晶容量と並列に配置される。斯うして、各画素Ｐの液晶４０に画像信号Ｓ１，Ｓ２，…，Ｓｎに応じた電圧が印加されると、印加された電圧により液晶４０の配向状態が変化し、液晶４０に入射した光が変調されて階調表示が可能となる。
【００３４】
図３に示す様に、液晶装置１は、素子基板２０と対向基板３０とを有しており、対向基板３０は、更に、マイクロレンズアレイ１０と、光路長調整層３１と、遮光層３２と、保護層３３と、共通電極３４と、配向膜３５とを備えている。尚、図３では、説明を判り易くする為に５画素分の断面を描いてある。
【００３５】
マイクロレンズアレイ１０は、第一透光性材１１と第二透光性材１３とを備えている。第一透光性材１１と第二透光性材１３とは、互いに異なる屈折率を有する光透過性の材料である。
【００３６】
第一透光性材１１は酸化珪素膜（ＳｉＯX、Ｘは１以上２以下の値）等の光透過性を有する無機材料からなる。酸化珪素膜は、無害で透光性に優れ、製造も加工も容易であるので、第一透光性材を無害で透光性に優れ、製造も加工も容易な材料とする事ができる。第一透光性材１１をなす酸化珪素膜の屈折率は１．４６から１．５０の範囲にある。本実施形態では、第一透光性材１１は石英基板であり、対向基板３０の基板となっている。第一透光性材１１の液晶４０側の面を上面１１ａとすると、第一透光性材１１の上面１１ａからは複数個の凹部１２が形成されており、凹部１２の表面は、第一透光性材１１と第二透光性材１３との界面の一部となっている。各凹部１２はマイクロレンズアレイ１０のセルＣＬ（図４参照）を構成し、電気光学装置では、セルＣＬは画素Ｐに対応して設けられている。素子基板２０に形成されている遮光層２２ａと遮光層２６ａ（Ｘ方向とＹ方向とに沿った格子状のブラックマトリックス）は平面視ではマイクロレンズアレイ１０のセルＣＬの境界を覆っている。凹部１２は、その中央部に配置された平坦部１２ａと、平坦部１２ａの周囲に配置された曲面部１２ｂ及び周縁部１２ｃ（図８参照）とを有している。
【００３７】
第二透光性材１３は、第一透光性材１１を覆い、凹部１２を埋め込む様に形成されている。第二透光性材１３は、光透過性を有し、第一透光性材１１とは異なる屈折率を有する材料からなる。より具体的には、第二透光性材１３は、第一透光性材１１よりも屈折率の高い無機材料からなる。この様な無機材料としては、例えば酸窒化珪素膜（ＳｉＯＮ）や窒化珪素膜（ＳｉＮ）、アルミナ膜（Ａｌ2Ｏ3）等が挙げられ、好ましい屈折率は１．６０程度である。酸窒化珪素膜や窒化珪素膜は、無害で透光性に優れ、製造も加工も容易であるので、第二透光性材を無害で透光性に優れ、製造も加工も容易な材料とする事ができる。本実施形態では、第二透光性材１３として酸窒化珪素膜が用いられている。第二透光性材１３にて凹部１２が埋め込まれ、凸状のマイクロレンズＭＬが構成される。マイクロレンズＭＬの製造方法に関しては後に詳述する。
【００３８】
第二透光性材１３は凹部１２の深さよりも厚く形成されており、第二透光性材１３の表面は略平坦な面となっている。即ち、第二透光性材１３は、凹部１２を埋めてマイクロレンズＭＬを構成する部分と、第一透光性材１１の上面とマイクロレンズＭＬの表面を覆う平坦化層の役割を果たす部分とを有している。第二透光性材１３の平坦な表面と凹部１２の平坦部１２ａとは、ほぼ平行である。尚、本明細書にて、「ほぼ平行」とか「ほぼ一致」、「ほぼ等しい」等と記述した場合、これらは、設計概念上で平行であるとか、設計概念上で一致する、設計概念上で等しい、などを意味し、製造上の誤差や計測に伴う誤差、微細な差などで異なっている場合もこれらに含まれる。
【００３９】
光路長調整層３１は、マイクロレンズアレイ１０を覆う様に設けられている。光路長調整層３１は、光透過性を有し、例えば、第一透光性材１１とほぼ同じ屈折率を有する無機材料からなる。光路長調整層３１は、マイクロレンズＭＬから遮光層２６ａ迄の距離を調整し、マイクロレンズＭＬにて集光された光が遮光層２６ａや遮光層２２ａに遮られず画素Ｐの開口領域を通過する様に設定されている。従って、光路長調整層３１の厚みは、光の波長に応じたマイクロレンズＭＬの焦点距離等の光学条件に基づいて適宜設定される。
【００４０】
遮光層３２は、光路長調整層３１上（液晶４０側）に設けられている。遮光層３２は、素子基板２０の遮光層２２及び遮光層２６に平面視で重なる様に枠状に形成されている。遮光層３２に囲まれた領域（表示領域Ｅ）は、光が透過し得る領域となる。尚、平面視にて遮光層２２ａと遮光層２６ａとに重なる光路長調整層３１上に、遮光層３２と同じ材料にて更に不図示の遮光層を設けても良い。この不図示の遮光層は、各画素Ｐの隅若しくは各画素Ｐの周囲に配置され、マイクロレンズＭＬで集光しきれずに素子基板２０側の遮光層２２ａや遮光層２６ａに当たり得る光を対向基板３０側で反射して、液晶装置１の温度上昇を防ぐ効果をもたらす。
【００４１】
保護層３３は、光路長調整層３１と遮光層３２とを覆う様に設けられている。共通電極３４は、保護層３３を覆う様に設けられている。共通電極３４は、複数の画素Ｐに跨って形成されている。共通電極３４は、例えば、インジウム錫酸化物（Ｉｎｄｉｕｍ  Ｔｉｎ  Ｏｘｉｄｅ、ＩＴＯ）やインジウム亜鉛酸化物（Ｉｎｄｉｕｍ  Ｚｉｎｃ  Ｏｘｉｄｅ、ＩＺＯ）等の透明導電膜からなる。配向膜３５は、共通電極３４を覆う様に設けられている。
【００４２】
尚、保護層３３は遮光層３２を覆って、共通電極３４の液晶４０側の表面を平坦とする物で、必須な構成要素ではない。従って、例えば、導電性の遮光層３２を共通電極３４が直接覆う構成としても良い。
【００４３】
素子基板２０は、基板２１と、遮光層２２及び遮光層２２ａと、絶縁層２３と、ＴＦＴ２４と、絶縁層２５と、遮光層２６及び遮光層２６ａと、絶縁層２７と、画素電極２８と、配向膜２９とを備えている。基板２１は、例えばガラスや石英等の光透過性を有する材料からなる。
【００４４】
遮光層２２及び遮光層２２ａは基板２１上に設けられている。遮光層２２は、上層の遮光層２６に平面視で重なる様に枠状に形成されている。遮光層２２ａ及び遮光層２６ａは、素子基板２０の厚さ方向（Ｚ方向）に於いて、ＴＦＴ２４をこれらの間に挟む様に配置されている。遮光層２２ａ及び遮光層２６ａは、ＴＦＴ２４の少なくともチャネル形成領域とドレイン端と平面視で重なっている。遮光層２２ａ及び遮光層２６ａが設けられている事により、ＴＦＴ２４への光の入射が抑制される。平面視にて、遮光層２２ａと遮光層２６ａとに囲まれた領域は、画素Ｐの開口領域であり、画素Ｐにて光が透過する領域となる。
【００４５】
絶縁層２３は、基板２１と遮光層２２と遮光層２２ａとを覆う様に設けられている。絶縁層２３は、例えば、ＳｉＯ2等の無機材料からなる。
【００４６】
ＴＦＴ２４は、絶縁層２３上に設けられている。ＴＦＴ２４は画素電極２８を駆動するスイッチング素子である。ＴＦＴ２４は、図示しない半導体層とゲート電極とソース電極とドレイン電極とを含んでいる。半導体層には、ソースとチャネル形成領域とドレインとが形成されている。チャネル形成領域とソース、又は、チャネル形成領域とドレインとの界面にはＬＤＤ（Ｌｉｇｈｔｌｙ  Ｄｏｐｅｄ  Ｄｒａｉｎ）領域が形成されていても良い。
【００４７】
ゲート電極は、素子基板２０に於いて平面視で半導体層のチャネル形成領域と重なる領域に絶縁層２５の一部（ゲート絶縁膜）を介して形成されている。図示を省略するが、ゲート電極は、下層側に配置された走査線にコンタクトホールを介して電気的に接続されており、走査信号が印加される事に依ってＴＦＴ２４をオン／オフ制御している。
【００４８】
絶縁層２５は、絶縁層２３とＴＦＴ２４とを覆う様に設けられている。絶縁層２５は、例えば、ＳｉＯ2等の無機材料からなる。絶縁層２５は、ＴＦＴ２４の半導体層とゲート電極との間を絶縁するゲート絶縁膜を含む。絶縁層２５により、ＴＦＴ２４に依って生じる表面の凹凸が緩和される。絶縁層２５上には、遮光層２６及び遮光層２６ａが設けられている。そして、絶縁層２５と遮光層２６及び遮光層２６ａとを覆う様に、無機材料からなる絶縁層２７が設けられている。
【００４９】
画素電極２８は、絶縁層２７上に、画素Ｐ毎に設けられている。画素電極２８は画素Ｐの開口領域に平面視で重なる様に配置され、画素電極２８のエッジ部は遮光層２２ａ又は遮光層２６ａと重なっている。画素電極２８は、例えば、ＩＴＯやＩＺＯ等の透明導電膜からなる。配向膜２９は、画素電極２８を覆う様に設けられている。液晶４０は、素子基板２０の配向膜２９と対向基板３０の配向膜３５との間に挟持されている。
【００５０】
尚、ＴＦＴ２４と、ＴＦＴ２４に電気信号を供給する電極や配線等（図示しない）とは、平面視で遮光層２２や遮光層２２ａ及び遮光層２６や遮光層２６ａに重なる領域に設けられている。これらの電極や配線等が遮光層２２や遮光層２２ａ及び遮光層２６や遮光層２６ａを兼ねる構成であっても良い。
【００５１】
実施形態１に係る液晶装置１では、例えば、光源等から発せられた光は、マイクロレンズＭＬを備える対向基板３０側から入射し、マイクロレンズＭＬに依って集光される。第一透光性材１１側から上面１１ａの法線方向に沿ってマイクロレンズＭＬに入射する光のうち、マイクロレンズＭＬの平面視に於ける中央部（凹部１２の平坦部１２ａ）に入射した入射光Ｌ１は、マイクロレンズＭＬをそのまま直進し、液晶４０を通過して素子基板２０側に出射される。
【００５２】
一方、マイクロレンズＭＬの平面視に於ける周辺部（遮光層２２ａや遮光層２６ａと平面視にて重なる領域を含む領域）に入射した入射光Ｌ２は、仮にそのまま直進した場合、図３に破線で示す様に、遮光層２６や遮光層２６ａ等で遮光されて仕舞うが、本実施形態の電気光学装置では、マイクロレンズＭＬ（第一透光性材１１と第二透光性材１３との屈折率差に依る屈折）にて、周辺部に入射した入射光Ｌ２も画素Ｐの平面的な中心側へと集光される。液晶装置１では、この様にマイクロレンズＭＬ間の境界部（画素Ｐの境界部）への入射光も、境界部に於ける集光作用に依って画素Ｐの開口領域内に入射させられ、液晶４０を通過する事ができる。この結果、素子基板２０側から出射される光量が増大し、光の利用効率が高められる訳である。
【００５３】
「マイクロレンズ」
図４は、実施形態１に係るマイクロレンズアレイの構成を説明する平面図である。図５は、実施形態１に係るマイクロレンズを説明する平面図である。続いて、実施形態１に係るマイクロレンズアレイ１０が備えるマイクロレンズＭＬの構成及び作用について、図４と図５とを参照して説明する。
【００５４】
マイクロレンズアレイ１０は、複数個のセルＣＬを備え、これら複数個のセルＣＬは、Ｘ方向及びＹ方向に於いて隣り合うセルＣＬ同士が互いに接する様に行列状に配列されている。マイクロレンズアレイ１０を電気光学装置に適応した際には、マイクロレンズアレイ１０の一つのセルＣＬと電気光学装置の一つの画素Ｐとが、平面視にてアライメントされる。要するに、マイクロレンズアレイ１０を構成する一つのセルＣＬのサイズとその平面視での位置とは、電気光学装置の一つの画素Ｐのサイズとその平面視での位置とに、設計概念上は一致している。即ち、製造誤差を除いて、セルＣＬのサイズとその平面視での位置とは、画素Ｐのサイズとその平面視での位置とに一致している。図４には、マイクロレンズアレイ１０を構成する３行４列の１２個のセルＣＬが描かれている。尚、図４では以下の説明を分かり易くする為に、各セルＣＬの名称を（１，１）、（１，２）、（１，３）、（１，４）、（２，１）、（２，２）、（２，３）、（２，４）、（３，１）、（３，２）、（３，３）、（３，４）としてある。又、図４には図示されていないが、マイクロレンズアレイ１０が電気光学装置に組み込まれた場合、Ｘ方向及びＹ方向に於いて隣り合うセルＣＬ同士の境界に沿う様に、遮光層２２ａや遮光層２６ａが素子基板２０に配置されている。
【００５５】
図４に示す様に、セルＣＬは多角形の平面形状を有している。本実施形態ではセルＣＬは四角形で正方形であるが、長方形であっても構わないし、三角形や六角形で有っても構わない。セルＣＬの平面形状は画素Ｐの平面形状に合わせられる。各セルＣＬには多角形のマイクロレンズＭＬが配置されている。マイクロレンズＭＬが多角形とは、マイクロレンズＭＬの角部に形成されている円弧状の部分を無視すると、各マイクロレンズＭＬは複数本の直線状の境界を有する多角形に近似できるとの意味であり、本実施形態では正方形に近い四角形となっている。
【００５６】
各マイクロレンズＭＬはそのほぼ中央部に平坦部１２ａを有し、平坦部１２ａは平面視にて多角形である。平坦部１２ａはセルＣＬよりも小さく、マイクロレンズＭＬに概ね相似な多角形で、セルＣＬをなす少なくとも一つの辺（例えば、セルＣＬのＸ方向に延在する辺）と平坦部１２ａをなす少なくとも一つの辺（今の例の場合、平坦部１２ａで概ねＸ方向に延在する辺）とがなす角度は−１５°以上＋１５°以下の範囲に入っている。斯うすると、マイクロレンズＭＬの平面視での形状とセルＣＬの形状とをセル角部を除いて概ね揃える事ができるので、光の利用効率が高いマイクロレンズアレイ１０が実現する。即ち、セルＣＬ内でマイクロレンズＭＬが形成されない領域を小さくする事ができる。本実施形態では、平坦部１２ａは四角形で正方形である。又、セルＣＬの平面視に於ける中心（セルＣＬの平面形状体の重心）と平坦部１２ａの平面視に於ける中心（平坦部１２ａの平面形状体の重心）とはほぼ一致している。
【００５７】
セルＣＬには非レンズ部とシリンドリカルレンズと球面レンズとが配置される。具体的に、非レンズ部は平坦部１２ａに形成され、シリンドリカルレンズは平坦部１２ａの外側で平坦部１２ａの辺に沿った領域に形成され、球面レンズは平坦部１２ａの角部の外側の領域に形成される。図３に示す様に、平坦部１２ａに入射したセルＣＬの法線に平行な入射光は、そのままほぼ直進する。シリンドリカルレンズに入射したセルＣＬの法線に平行な入射光は、シリンドリカルレンズにより平坦部１２ａ側に光路が曲げられる。シリンドリカルレンズとは、一方向に屈折力を持って入射光を収束又は発散させ、この方向に直交する他方向では屈折力を持たないレンズである。従って、一方向に沿ったレンズ断面ではレンズ面は曲率を持って変化しているが、この方向に直交する他方向断面に沿ったレンズ断面ではレンズ面は直線となっている。球面レンズに入射したセルＣＬの法線に平行な入射光は、球面レンズにより平坦部１２ａ側に光路が曲げられる。球面レンズは凸レンズで、平坦部１２ａの辺の交差部にて球面レンズの厚み（第二透光性材１３の厚み）は最大となり、平坦部１２ａの交差部から離れるに従い球面レンズは薄くなって行く。
【００５８】
図４に示す様に、マイクロレンズアレイ１０は単位セル群ＵＧを有する。単位セル群ＵＧにはＭ×Ｎ個（Ｍは１以上の整数、Ｎは２以上の整数）のマイクロレンズＭＬが配置されている。本実施形態では一例としてＭ＝Ｎ＝３で、単位セル群ＵＧには９個のマイクロレンズＭＬが配置されている。具体的には、セル（１，１）には第１レンズＭＬ１が配置され、セル（１，２）には第２レンズＭＬ２が配置され、セル（１，３）には第３レンズＭＬ３が配置され、セル（２，１）には第４レンズＭＬ４が配置され、セル（２，２）には第５レンズＭＬ５が配置され、セル（２，３）には第６レンズＭＬ６が配置され、セル（３，１）には第７レンズＭＬ７が配置され、セル（３，２）には第８レンズＭＬ８が配置され、セル（３，３）には第９レンズＭＬ９が配置されている。これらＭ×Ｎ個のマイクロレンズＭＬにて一つの単位セル群ＵＧが構成される。そして単位セル群ＵＧが第一方向又は第二方向に繰り返し配列されてマイクロレンズアレイ１０となる。図４では、単位セル群ＵＧが第一方向（Ｘ方向）に繰り返し配列されているので、セル（１，４）には第１レンズＭＬ１が配置され、セル（２，４）には第４レンズＭＬ４が配置され、セル（３，４）には第７レンズＭＬ７が配置されている。
【００５９】
単位セル群ＵＧに配置された第１レンズＭＬ１と第２レンズＭＬ２とは、第１レンズＭＬ１の平面視に於ける方向（第１レンズ方向）と第２レンズＭＬ２の平面視に於ける方向（第２レンズ方向）とが異なっている。図４に示す様に、単位セル群ＵＧに配置されたＭ×Ｎ個のレンズの平面視に於ける方向は総て異なっているのが理想的である。斯うすると、レンズの規則性に起因する回折を抑制できるので、光の利用効率が高いマイクロレンズアレイを実現できる訳である。
【００６０】
次にレンズの方向に関して図５を参照して説明する。本実施形態のマイクロレンズＭＬは多角形の平坦部１２ａを有し、マイクロレンズＭＬの外周形状は平坦部１２ａに概ね相似な多角形となる。図５に示す様に、セルＣＬを構成する一辺の方向を第一方向（Ｘ方向）とし、セルＣＬ内のマイクロレンズＭＬ（第ｉレンズＭＬｉ）の平坦部１２ａの一辺で第一方向（Ｘ方向）となす角が最もゼロに近い辺の方向をレンズ方向ＬＸｉとする。第ｉレンズＭＬｉ（ｉは１からＭ×Ｎ迄の整数）の平面視に於ける方向（第ｉレンズ方向ＬＸｉが）第一方向に対してなす角度を第ｉレンズ角θｉとする。例えば、第１レンズ方向が第一方向に対してなす角度は第１レンズ角θ１であり、第２レンズ方向が第一方向に対してなす角度は第２レンズ角θ２である。図５（ａ）はθｉ＝０°で、レンズ方向ＬＸｉと第一方向（Ｘ方向）とは平行である。図５（ｂ）はθｉ＝１５°で、レンズ方向ＬＸｉと第一方向（Ｘ方向）とは１５°の角度をなしている。図５（ｃ）はθｉ＝４５°で、レンズ方向ＬＸｉと第一方向（Ｘ方向）とは４５°の角度をなしている。本実施形態では、平坦部１２ａが正方形である為に、レンズ方向ＬＸｉと第一方向（Ｘ方向）とは−４５°以上＋４５°以下の範囲の角度を取り得る。
【００６１】
単位セル群ＵＧに配置されたＭ×Ｎ個のマイクロレンズの其々は、レンズ方向ＬＸと第一方向（Ｘ方向）との角度が−１５°以上＋１５°以下の範囲になる様に配置されている。従って、第１レンズ角θ１と第２レンズ角θ２とは、共に−１５°以上＋１５°以下の範囲にある。斯うすると、セルＣＬ内でマイクロレンズＭＬが配置されない領域を小さくする事ができるので、セルに入射した入射光を効率良く集光する事が可能となる。本実施形態では、第１レンズ角θ１から第９レンズ角θ９まで総て異なった値となっており、これらは皆−１５°以上＋１５°以下の範囲に入っている。具体的な一例としては、図４に示す様に、θ１＝０°（第１レンズＭＬ１）、θ２＝−５°（第２レンズＭＬ２）、θ３＝−２°（第３レンズＭＬ３）、θ４＝＋２°（第４レンズＭＬ４）、θ５＝＋１°（第５レンズＭＬ５）、θ６＝＋４°（第６レンズＭＬ６）、θ７＝−１０°（第７レンズＭＬ７）、θ８＝＋１０°（第８レンズＭＬ８）、θ９＝＋６°（第９レンズＭＬ９）である。
【００６２】
本願発明人が鋭意研究した所に依ると、従来のマイクロレンズを用いた電気光学装置で光の利用効率が低かった理由は、以下の様に説明される。即ち、特許文献１に記載されている様なマイクロレンズアレイを用いた電気光学装置では、画素とマイクロレンズとの配置が規則性（周期性）を有するので、画素やマイクロレンズの規則性に起因する回折が起こっていた。回折とは周期構造を持った遮光体や屈折率体を光波が通過した際に発生する現象で、回折で広がった光波が干渉して、光の強弱が観察される現象である。周期構造を通った光波は２次元フーリエ変換され、無限遠にてフランホッファー回折として投影される。その次数ｍの投影像はｓｉｎαｍ＝λ（ｍ／ａ）を満たす角度αｍに現れる。ここでａとは周期構造の周期であり、λは光波の波長である。この為に、周期構造ａが小さくなると投影像が現れる角度αｍは大きくなり、０次スポットからその次数の投影像は遠くなる。従って周期構造ａが小さい際に、つまり画素サイズが小さい際に、回折による光の広がりは大きくなる。
【００６３】
電気光学装置の高精細化に伴い、画素Ｐのサイズが４ミクロン（μｍ）から６ミクロン（μｍ）と小さくされる要請がある。これ程に画素が小さくなった場合には、回折の影響を無視できなくなる。従来の電気光学装置では、電気光学装置に入った光線はまずマイクロレンズアレイにて干渉し、更に画素にて干渉され、適当な回折パターンを持って投射レンズに入っていた。この際に、画素が小さければ小さい程、干渉による光束の広がり角度が大きくなり、投射レンズのＦ値との関係が大事になってくる。投射レンズはマイクロレンズアレイと画素に取って無限遠として扱えるので、回折パターンは角度αｍの成分を持って広がる。その際に、投射レンズのＦ値が規定する角度範囲に入らない角度の光の割合が増え、明るさが低下していた、と考えられる。
【００６４】
そこで本実施形態のマイクロレンズアレイ１０では、図４に示す様に、単位セル群ＵＧに配置されたＭ×Ｎ個のレンズの平面視に於ける方向が異なる様にしている。これにより、単位セル群ＵＧ内のマイクロレンズＭＬの形状が異なり、少なくとも単位セル群ＵＧ内のマイクロレンズＭＬによる干渉は或る程度抑制される。即ち、サイズが４ミクロン（μｍ）から６ミクロン（μｍ）と云った１０ミクロン（μｍ）以下の小さな画素Ｐに対応する電気光学装置に用いられるマイクロレンズアレイ１０では、隣り合うセルＣＬに起因する回折を抑制すべく、周期構造（単位セル群ＵＧのサイズ）が数画素分（数セル分）以上となる様に、単位セル群ＵＧ内のマイクロレンズＭＬを其々変えるのである。斯うすると、マイクロレンズアレイ１０に起因する周期構造は複数個のセルＣＬとなるので、周期構造ａの値が大きくなり、回折スポットが０次光（入射光方向）付近に集まってくる。即ち、投射レンズ１１７（図９参照）のＦ値が規定する角度範囲に入る角度の光の割合が増え、明るさが向上するのである。
【００６５】
「表示領域に於けるセル配置」
図６は、実施形態１に係るマイクロレンズアレイの平面的なセル配置を説明する図である。次に、実施形態１に係るマイクロレンズアレイ１０のセルＣＬの配置に関する構成を、図６を参照して、説明する。
【００６６】
セルＣＬの規則性に起因する回折を抑制するには、マイクロレンズＭＬに起因する規則性の周期を波長よりも十分に大きくする事が好ましい。理想的にはマイクロレンズＭＬに起因する規則性の周期を光の波長の１００倍程度以上とする。斯うすると、マイクロレンズＭＬの規則性に起因する回折は著しく抑制される。言い換えると、波長の１００倍程度以内の範囲では、マイクロレンズアレイ１０を構成するセルＣＬのマイクロレンズＭＬが皆異なっているのが理想的である。セルＣＬが異なるとはセルＣＬを構成するマイクロレンズＭＬの形状（レンズ方向）が其々固有である事を意味する。本実施形態では、光として主に可視光を想定しているので、可視光の干渉を抑制するには、７０ミクロン（μｍ）程度の範囲内で、マイクロレンズＭＬは規則性を持たないのが理想的である。一方、電気光学装置では、画素Ｐ（セルＣＬ）のサイズは７ミクロン（μｍ）程度と小さい場合もあり得るので、斯うした場合は、１０セル×１０セル程度の単位内ですべてのマイクロレンズＭＬが異なっているのが理想的と言える。具体的にはｎの二乗個（ｎ2個）のセルＣＬを単位セル群ＵＧとして、単位セル群ＵＧでｎの二乗個（ｎ2個）のマイクロレンズＭＬは皆異なっている（ｎの二乗個（ｎ2個）のセルＣＬでレンズ形状が皆異なっている）。そしてこの単位セル群ＵＧを繰り返す事で、マイクロレンズアレイ１０を構成する。この場合、ｎは２以上２０以下の範囲とし、ｎを１０程度とするのが理想的である。
【００６７】
ｎを１０とすると、１００種類の異なったマイクロレンズＭＬを形成せねばならないが、これは容易ではない。そこで本実施形態では、図６に示す様に、マイクロレンズＭＬとして第１レンズＭＬ１から第９レンズＭＬ９まで、９種類の異なったマイクロレンズＭＬを準備し、これら９種類のマイクロレンズＭＬを含む集団を単位セル群ＵＧとして、Ｘ方向及びＹ方向に繰り返してマイクロレンズアレイ１０としている。第１レンズＭＬ１から第９レンズＭＬ９の一例は図４の中央に描かれた通りである。図６では、６行９列の５４個のセルＣＬが一例として示され、６個の単位セル群ＵＧが認められる。斯うする事でセルＣＬの規則性に起因する回折が抑制され、光の利用効率は向上する。
【００６８】
「電気光学装置の製造方法」
図７は、実施形態１に係るマイクロレンズアレイの製造方法を示す概略断面図である。図８は、実施形態１に係るマイクロレンズアレイの製造方法を示す概略断面図である。次に、実施形態１に係るマイクロレンズアレイ１０を有する液晶装置１の製造方法を、図７と図８とを参照して、説明する。尚、図７と図８とは、説明を分かり易くする為に、マイクロレンズアレイ１０が完成した際に、３個のマイクロレンズＭＬに相当する断面図を描いてある。又、図示しないが、マイクロレンズアレイ１０の製造工程では、マイクロレンズアレイ１０を複数枚取る事ができる大型の基板（マザー基板）で加工が行われ、最終的にそのマザー基板を切断して個片化する事に依り、複数のマイクロレンズアレイ１０が得られる。従って、以下に説明する各工程では個片化する前のマザー基板の状態で加工が行われるが、ここでは、マザー基板の中の個別のマイクロレンズアレイ１０に対する加工について説明する。
【００６９】
まず、基板上に第一透光性材１１を形成する工程を行う。本実施形態では、石英基板が第一透光性材１１の一部を兼用しているので、この工程は石英基板を準備する工程と、図７（ａ）に示す様に、第一透光性材１１の上面１１ａに、酸化珪素膜等からなる制御膜７０を形成する工程と、になる。制御膜７０は、凹部１２を形成する際におけるエッチングレートが石英基板と異なっており、凹部１２を形成する際の深さ方向（Ｚ方向）のエッチングレートに対して幅方向（Ｗ方向）のエッチングレートを調整する機能を有する。制御膜７０のエッチングレートが速い程、曲面部１２ｂが小さくなると共に、周縁部１２ｃが大きくなり、周縁部１２ｃの上面１１ａに対する傾斜は緩やかになる。制御膜７０のエッチングレートが石英基板と同じであれば、周縁部１２ｃが消失して円弧状の曲面部１２ｂが上面１１ａに垂直に交わるので、制御膜７０のエッチングレートは石英基板のエッチングレートよりも遅い事が望まれる。斯うすると周縁部１２ｃに入射した入射光Ｌ２がセルＣＬの中央方向に曲げられるからである。
【００７０】
制御膜７０を形成した後、所定の温度で制御膜７０のアニールを行う。制御膜７０のエッチングレートは、アニール時の温度により変化する。従って、アニール時の温度を適宜設定する事により、制御膜７０のエッチングレートを調整する事ができる。
【００７１】
次に、図７（ｂ）に示す様に、第一透光性材１１の制御膜７０上の単位領域に開口部を有するマスク層７１を形成する工程を進める。単位領域とはマイクロレンズアレイ１０が完成した際にセルＣＬとなる領域である。この様なマスク層７１は第一透光性材１１の上面に、例えば、多結晶シリコン等で形成される。マスク層となる多結晶シリコンは、例えば、化学気相堆積法（ＣＶＤ：Ｃｈｅｍｉｃａｌ  Ｖａｐｏｒ  Ｄｅｐｏｓｉｔｉｏｎ）や物理気相堆積法（例えば、スパッタリング法等）等で堆積される。続いて、図７（ｃ）に示す様に、堆積された薄膜にはフォトリソグラフィー法とドライエッチング処理とが施されて、開口部７２を有するマスク層７１が形成される。開口部７２は、平面視にて、マイクロレンズアレイ１０が完成した際に平坦部１２ａと同じ平面形状である。即ち、開口部７２の平面視に於ける形状は、製造誤差を除いて、平坦部１２ａの平面視に於ける形状と合同である。従って、開口部７２は、平面視にて、多角形である。又、開口部７２は第１開口部と第２開口部とを有し、第１開口部の平面視に於ける方向と第２開口部の平面視に於ける方向とは異なっている。
【００７２】
次に、図７（ｄ）に示す様に、マスク層を介して制御膜７０と第一透光性材１１とに等方性エッチングを施す事に依り、制御膜７０と第一透光性材１１とに凹部１２を形成する工程を進める。即ち、マスク層を介して第一透光性材１１に、例えばフッ化水素酸水溶液等のエッチング液を用いたウエットエッチング等の等方性エッチング処理を施す。エッチング液には、前述の如く、制御膜７０のエッチングレートの方が第一透光性材１１のエッチングレートよりも大きくなる材料を用いる。このエッチング処理により、第一透光性材１１が上面側から開口部７２を中心として等方的にエッチングされる。この結果、制御膜７０と第一透光性材１１に、開口部７２に対応して凹部１２が形成される。図８（ａ）に示す様に、等方性エッチングの進行に伴って凹部１２が拡大され、凹部１２のうち平面視でマスク層７１の開口部７２に対応する部分が略平坦な面となる。これにより、凹部１２の中央部に平坦部１２ａが形成される。又、平坦部１２ａの周囲を囲む様に曲面部１２ｂが形成される。もし、第一透光性材１１とマスク層７１との間に制御膜７０が設けられていないと、曲面部１２ｂが第一透光性材１１の上面１１ａに到達する事となる。但し、本実施形態では、第一透光性材１１とマスク層７１との間に制御膜７０が設けられており、制御膜７０の単位時間当たりのエッチング量は第一透光性材１１の単位時間当たりのエッチング量よりも多い。従って、制御膜７０の開口部７０ａの拡大量は凹部１２の深さ方向の拡大量よりも多くなるので、開口部７０ａの拡大に伴って、凹部１２の幅方向も拡大する事となる。その為に第一透光性材１１の幅方向における単位時間当たりのエッチング量は、深さ方向における単位時間当たりのエッチング量よりも多くなる。これにより、曲面部１２ｂの周囲を囲む様にテーパー状の周縁部１２ｃが形成される。
【００７３】
曲面部１２ｂは、平坦部１２ａに連続して設けられており、円弧状の断面形状を有している。曲面部１２ｂは、マイクロレンズＭＬが完成した際にレンズとしての集光機能を有しており、上面１１ａの法線方向に沿って曲面部１２ｂに入射する光は、セルＣＬの平面的な中心側へ集光される。従って、曲面部１２ｂにより、画素Ｐの中央部よりも外側に入射して、電気光学装置でそのまま直進すれば遮光層２６で遮光される光を、画素Ｐの開口領域内に入射させる事ができる様になる。
【００７４】
周縁部１２ｃは、曲面部１２ｂに連続して設けられている。周縁部１２ｃは、Ｗ方向に於いては上面１１ａに接続されており、Ｘ方向に於いては隣り合う凹部１２の周縁部１２ｃに接続されている。周縁部１２ｃは、上面１１ａから曲面部１２ｂに向かって傾斜する傾斜面、いわゆるテーパー状の面となっている。従って、マイクロレンズＭＬが完成した際に上面１１ａの法線方向に沿って周縁部１２ｃに入射する光は、セルＣＬの平面的な中心側へ屈折するので、電気光学装置でそのまま直進すれば遮光層２６で遮光される光を、画素Ｐの開口領域内に入射させる事ができる様になる。
【００７５】
又、マイクロレンズＭＬが完成した際に周縁部１２ｃは、レンズとしての集光機能を有していない。従って、上面１１ａの法線方向に沿って周縁部１２ｃに入射する光は略同一の角度で屈折するので、液晶４０に入射する光の角度のばらつきを抑える事ができる。
【００７６】
上述した様に、凹部１２における平坦部１２ａの形状は、マスク層７１の開口部７２の形状により制御する事ができる。又、凹部１２における曲面部１２ｂ及び周縁部１２ｃのそれぞれの大きさは、第一透光性材１１の深さ方向のエッチングレートに対する幅方向のエッチングレートにより制御され、このエッチングレートの差は制御膜７０のアニール時の温度設定により調整できる。
【００７７】
次に、図８（ｂ）に示す様に、第一透光性材１１からマスク層７１を除去した後、第一透光性材１１よりも屈折率が高い第二透光性材１３を、凹部１２を覆う様に形成する工程を進める。即ち、凹部１２を第一透光性材１１の屈折率とは異なる屈折率を有する第二透光性材１３にて埋め込む工程を進める。まず、第一透光性材１１の全領域を覆い、凹部１２を埋め込む様に、光透過性を有し、第一透光性材１１よりも高い屈折率を有する無機材料からなる第二透光性材１３を成膜する。第二透光性材１３は、例えばＣＶＤ法を用いて形成する事ができる。第二透光性材１３は第一透光性材１１の上面に堆積する様に形成される為、第二透光性材１３の表面は第一透光性材１１の凹部１２に起因する凹凸が反映された凹凸形状となる。第二透光性材１３を堆積した後に、この膜に対して平坦化処理を施す。平坦化処理では、例えば、化学機械的研磨法（Ｃｈｅｍｉｃａｌ  Ｍｅｃｈａｎｉｃａｌ  Ｐｏｌｉｓｈｉｎｇ）等を用いて、第二透光性材１３の上層の凹凸が形成された部分を研磨して除去する事により、第二透光性材１３の上面が平坦化される。即ち、図８（ｂ）に示す２点鎖線より上方の部分を研磨して除去する事により、第二透光性材１３の上面が平坦化される。斯うして、図８（ｃ）に示す様に、第二透光性材１３の上面が平坦化されて、マイクロレンズアレイ１０が完成する。
【００７８】
次に、公知の技術を用いて、マイクロレンズアレイ１０上に、光路長調整層３１と、遮光層３２と、保護層３３と、共通電極３４と、配向膜３５とを順に形成して対向基板３０を得る。以降の工程は、詳細な図示を省略し、図３を参照して説明する。一方、基板２１上に、遮光層２２と、絶縁層２３と、ＴＦＴ２４と、絶縁層２５と、遮光層２６と、絶縁層２７と、画素電極２８と、配向膜２９とを順に形成して素子基板２０を得る。
【００７９】
次に、素子基板２０と対向基板３０との間に、熱硬化性又は光硬化性の接着剤をシール材４２（図１参照）として配置して硬化させる。これにより、素子基板２０と対向基板３０とが接合されて、液晶装置１が完成する。
【００８０】
「電子機器」
次に、電子機器について図９を参照して説明する。図９は、実施形態１に係る電子機器としてのプロジェクターの構成を示す概略図である。
【００８１】
図９に示す様に、実施形態１に係る電子機器としてのプロジェクター（投射型表示装置）１００は、偏光照明装置１１０と、２つのダイクロイックミラー１０４，１０５と、３つの反射ミラー１０６，１０７，１０８と、５つのリレーレンズ１１１，１１２，１１３，１１４，１１５と、３つの液晶ライトバルブ１２１，１２２，１２３と、クロスダイクロイックプリズム１１６と、投射レンズ１１７とを備えている。
【００８２】
偏光照明装置１１０は、例えば超高圧水銀灯やハロゲンランプ等の白色光源からなる光源としてのランプユニット１０１と、インテグレーターレンズ１０２と、偏光変換素子１０３とを備えている。ランプユニット１０１と、インテグレーターレンズ１０２と、偏光変換素子１０３とは、システム光軸Ｌｓに沿って配置されている。
【００８３】
ダイクロイックミラー１０４は、偏光照明装置１１０から出射された偏光光束のうち、赤色光（Ｒ）を反射させ、緑色光（Ｇ）と青色光（Ｂ）とを透過させる。もう１つのダイクロイックミラー１０５は、ダイクロイックミラー１０４を透過した緑色光（Ｇ）を反射させ、青色光（Ｂ）を透過させる。
【００８４】
ダイクロイックミラー１０４で反射した赤色光（Ｒ）は、反射ミラー１０６で反射した後にリレーレンズ１１５を経由して液晶ライトバルブ１２１に入射する。ダイクロイックミラー１０５で反射した緑色光（Ｇ）は、リレーレンズ１１４を経由して液晶ライトバルブ１２２に入射する。ダイクロイックミラー１０５を透過した青色光（Ｂ）は、３つのリレーレンズ１１１，１１２，１１３と２つの反射ミラー１０７，１０８とで構成される導光系を経由して液晶ライトバルブ１２３に入射する。
【００８５】
光変調素子としての透過型の液晶ライトバルブ１２１，１２２，１２３は、クロスダイクロイックプリズム１１６の色光ごとの入射面に対して其々対向配置されている。液晶ライトバルブ１２１，１２２，１２３に入射した色光は、映像情報（映像信号）に基づいて変調され、クロスダイクロイックプリズム１１６に向けて出射される。
【００８６】
クロスダイクロイックプリズム１１６は、４つの直角プリズムが貼り合わされて構成されており、その内面には赤色光を反射する誘電体多層膜と青色光を反射する誘電体多層膜とが十字状に形成されている。これらの誘電体多層膜に依って３つの色光が合成されて、カラー画像を表す光が合成される。合成された光は、投射光学系である投射レンズ１１７に依ってスクリーン１３０上に投射され、画像が拡大されて表示される。
【００８７】
液晶ライトバルブ１２１は、上述した液晶装置１が適用されたものである。液晶ライトバルブ１２１は、色光の入射側と出射側とに於いてクロスニコルに配置された一対の偏光素子の間に隙間を置いて配置されている。他の液晶ライトバルブ１２２，１２３も同様である。
【００８８】
実施形態１に係るプロジェクター１００の構成によれば、複数の画素Ｐが高精細に配置されていても、入射した色光を効率よく利用可能なマイクロレンズＭＬを有する液晶装置１を備えているので、品質が高く明るいプロジェクター１００を提供する事ができる。
【００８９】
（実施形態２）
「単位セル群が異なる形態１」
図１０は、実施形態２に係わるマイクロレンズアレイの一例を説明した図である。次に、図１０を参照して実施形態２に係わるマイクロレンズアレイ１０を説明する。尚、実施形態１と同一の構成部位については、同一の符号を附し、重複する説明は省略する。
【００９０】
図１０に示す本実施形態のマイクロレンズアレイ１０では、マイクロレンズアレイ１０を構成する単位セル群ＵＧが異なっている。それ以外は実施形態１と同様である。図６に示された実施形態１のマイクロレンズアレイ１０では単位セル群ＵＧは９個の異なったマイクロレンズＭＬで構成され、この単位セル群ＵＧが繰り返し配置されていた。単位セル群ＵＧの構成はこれに限られず、様々形態が可能である。例えば、図１０に示す様に、単位セル群ＵＧはｎの二乗個の異なったマイクロレンズＭＬを含むが、単位セル群ＵＧの中でこれらのマイクロレンズＭＬの配置を変えても良い。本実施形態では、複数種類の単位セル群ＵＧを準備し、各単位セル群ＵＧでマイクロレンズＭＬの配置が変えられている。例えば、図１０に示す様に、第１レンズＭＬ１から第４レンズＭＬ４まで、４種類の異なったマイクロレンズＭＬを準備し、これら４種類のマイクロレンズＭＬの配置を変えた複数種類の単位セル群ＵＧを作る。図１０の例では第１単位セル群ＵＧ１から第９単位セル群ＵＧ９迄９種類の単位セル群ＵＧが作られ、各単位セル群ＵＧの中で４種類の異なったマイクロレンズＭＬの配置が変えられている。例えば、単位セル群ＵＧは第１単位セル群ＵＧ１と第２単位セル群ＵＧ２とを有し、第１単位セル群ＵＧ１と第２単位セル群ＵＧ２とでは、第１レンズＭＬ１と第２レンズＭＬ２との配置関係が異なっている。この様に複数種類の単位セル群ＵＧを用いてマイクロレンズアレイ１０を構成しても良い。斯うすると、マイクロレンズアレイ１０に起因する回折はより強く抑制されるので、マイクロレンズアレイ１０の光利用効率は更に向上する事になる。
【００９１】
（実施形態３）
「単位セル群が異なる形態２」
図１１は、実施形態３に係わるマイクロレンズアレイの一例を説明した図である。次に、図１１を参照して実施形態３に係わるマイクロレンズアレイ１０を説明する。尚、実施形態１と同一の構成部位については、同一の符号を附し、重複する説明は省略する。
【００９２】
図１１に示す本実施形態のマイクロレンズアレイ１０では、マイクロレンズアレイ１０を構成する単位セル群ＵＧの配列が異なっている。それ以外は実施形態１と同様である。図６に示された実施形態１のマイクロレンズアレイ１０では単位セル群ＵＧがＸ方向とＹ方向とに繰り返し配列されていた。単位セル群ＵＧの配列はこれに限られず、様々形態が可能である。例えば、図１１に示す様に、単位セル群ＵＧが、単位セル群ＵＧの行又は列毎にずれて配置されていても良い。
【００９３】
図１１に一点鎖線にて囲んで示す様に、マイクロレンズアレイ１０に於いては、互いにレンズ方向が異なるマイクロレンズＭＬ（第１レンズＭＬ１、第２レンズＭＬ２、第３レンズＭＬ３、第４レンズＭＬ４）からなる２×２個のマイクロレンズを単位ＭＬとする単位セル群ＵＧが繰り返し配列されている。本実施形態では、隣り合う単位セル群ＵＧの行毎に単位セル群ＵＧがＸ方向に沿って相互にずれて配列されている。具体的には、単位セル群ＵＧの奇数行（単位セル群ＵＧの第１行ＵＧＲ１や単位セル群ＵＧの第３行ＵＧＲ３等）と単位セル群ＵＧの偶数行（単位セル群ＵＧの第２行ＵＧＲ２等）とはＸ方向に沿って１セル分ずれて配列されている。斯うすると、マイクロレンズＭＬの繰り返しの配列パターンは、列方向（Ｙ方向）に関しては、４セル毎と倍になる。この様に、単位セル群ＵＧが、単位セル群ＵＧの行又は列毎にずれて配置されたマイクロレンズアレイ１０としても良い。斯うすると、マイクロレンズアレイ１０に起因する回折はより強く抑制されるので、マイクロレンズアレイ１０の光利用効率は更に向上する事になる。
【００９４】
（実施形態４）
「単位セル群が異なる形態３」
図１２は、実施形態４に係わるマイクロレンズアレイの一例を説明した図である。次に、図１２を参照して実施形態４に係わるマイクロレンズアレイ１０を説明する。尚、実施形態１乃至３と同一の構成部位については、同一の符号を附し、重複する説明は省略する。
【００９５】
図１２に示す本実施形態のマイクロレンズアレイ１０では、マイクロレンズアレイ１０を構成する単位セル群ＵＧの配列が異なっている。それ以外は実施形態１乃至３と同様である。上述の実施形態１乃至３に係るマイクロレンズアレイ１０での単位セル群ＵＧの配列は、上述の形態に限定されない。例えば、図１２（ａ）に太線で囲んで示すように、３×３個のマイクロレンズＭＬを単位とする単位セル群ＵＧが単位セル群ＵＧの行又は列毎にずれて配置された構成としても良い。例えば、図１２（ａ）に示す様に、単位セル群ＵＧの第１行ＵＧＲ１、単位セル群ＵＧの第２行ＵＧＲ２、及び単位セル群ＵＧの第３行ＵＧＲ３で３×３個のマイクロレンズＭＬを単位とする単位セル群ＵＧを相互にずらして配列された構成とする事で、マイクロレンズＭＬの繰り返しの配列パターンは列方向（Ｙ方向）に関しては、９セル毎と３倍になる。斯うして、マイクロレンズアレイ１０に起因する回折はより強く抑制されるので、マイクロレンズアレイ１０の光利用効率は更に向上する事になる。
【００９６】
更には、単位セル群ＵＧは第１単位セル群ＵＧ１と第２単位セル群ＵＧ２とを有し、第１単位セル群ＵＧ１に配置されるレンズの数と第２単位セル群ＵＧ２に配置されるレンズの数とを異ならせても良い。例えば、図１２（ｂ）に示される様に、２×２個のマイクロレンズＭＬを単位とする第１単位セル群ＵＧ１と、３×３個のマイクロレンズＭＬを単位とする第２単位セル群ＵＧ２とを組み合わせても良い。
【００９７】
図１２（ｂ）に示す例では、マイクロレンズＭＬの繰り返しの配列パターンが９画素毎となる第２単位セル群ＵＧ２が表示領域Ｅの外周部に配置され、４画素毎となる第１単位セル群ＵＧ１がその内側に配置されている。マイクロレンズＭＬに起因する光の回折は、中央部よりも外周部で生じ易い事が知られている。そこで、中央部に配置する第１単位セル群ＵＧ１と比べて繰り返しの周期が大きい第２単位セル群ＵＧ２を外周部に配置する事で、マイクロレンズＭＬに起因する回折光の干渉を効果的に抑える事ができる。
【００９８】
（実施形態５）
「製造方法が異なる形態」
図１３は、実施形態５に係るマイクロレンズアレイの製造方法を示す概略断面図である。次に、図１３を参照して、実施形態５に係わるマイクロレンズアレイ１０の製造方法を説明する。尚、実施形態１と同一の構成部位については、同一の符号を附し、重複する説明は省略する。
【００９９】
実施形態１（図７、図８）では、第一透光性材１１に等方性エッチングを施す事でマイクロレンズアレイ１０を製造したが、製造方法はこれに限られない。例えば、図１３に示す様に、レジストリフロー法を用いてマイクロレンズアレイ１０を製造する事も可能である。それ以外の構成は、実施形態１とほぼ同様である。本実施形態のマイクロレンズアレイ１０では、第二透光性材１３をエッチングする事に依ってマイクロレンズアレイ１０を形成する。
【０１００】
本実施形態に於けるマイクロレンズアレイ１０の製造方法は、基板上に第二透光性材１３を形成する工程と、第二透光性材１３上に第１形状をなすフォトレジスト７４ａと第２形状をなすフォトレジスト７４ｄとを形成する工程と、第１形状をなすフォトレジスト７４ａと第２形状をなすフォトレジスト７４ｄとをリフローさせる工程と、リフローされた第１形状をなすフォトレジスト７５ａとリフローされた第２形状をなすフォトレジスト７５ｄと第二透光性材１３とに異方性エッチングを施す事に依り、第二透光性材１３に凸部１５ａ、１５ｄを形成する工程と、凸部１５ａ、１５ｄを第二透光性材１３の屈折率とは異なる屈折率を有する第一透光性材にて覆う工程と、を含んでいる。この際に、第１形状の平面視に於ける方向と第２形状の平面視に於ける方向とが異なる様に形成される。
【０１０１】
まず、マイクロレンズアレイ１０の元基板を準備する。本実施形態では、元基板として石英基板を用いている。
【０１０２】
次に、図１３（ａ）に示す様に、元基板上に第二透光性材１３を形成する工程を行う。これは元基板上に第二透光性材１３をＣＶＤ法等で形成する。第二透光性材１３は酸窒化珪素膜や窒化珪素膜等である。酸窒化珪素膜や窒化珪素膜等はモノシラン（ＳｉＨ4）や亜酸化窒素（Ｎ2Ｏ）、アンモニア（ＮＨ3）等を原料ガスとしてプラズマＣＶＤ法等で堆積する事ができる。
【０１０３】
次に、マスク７１ａ、７１ｄを用いて、図１３（ｂ）に示す様に、第二透光性材１３上に第１形状をなすフォトレジスト７４ａと第２形状をなすフォトレジスト７４ｄとを形成する工程を進める。このフォトレジストの形状を受け継いでマイクロレンズＭＬが形成されるので、フォトレジストは図４に示すマイクロレンズＭＬとほぼ同じ形状の多角形に形成する。例えば、フォトレジストを正方形に形成し、後に単位セル群ＵＧを構成するマイクロレンズＭＬとなるフォトレジストの平面視に於ける方向を異なる様に形成する。一例としては、第１形状をなすフォトレジスト７４ａの平面視に於ける方向と第２形状をなすフォトレジスト７４ｄの平面視に於ける方向とが異なる様に形成される。
【０１０４】
次に、図１３（ｃ）に示す様に、第１形状をなすフォトレジスト７４ａと第２形状をなすフォトレジスト７４ｄとをリフローさせる工程を行い、リフローされた第１形状をなすフォトレジスト７５ａとリフローされた第２形状をなすフォトレジスト７５ｄとを形成する。このリフロー工程により、多角形のフォトレジストの角部は円弧状となる。即ち、リフロー後のフォトレジストの形状は、図４に示すマイクロレンズＭＬの形状とほぼ等しくなる。
【０１０５】
次に、図１３（ｄ）に示す様に、リフローされた第１形状をなすフォトレジスト７５ａとリフローされた第２形状をなすフォトレジスト７５ｄと第二透光性材１３とに異方性エッチングを施す事に依り、第二透光性材１３に凸部１５ａ、１５ｄを形成する工程を進める。この際に、フォトレジストのエッチングレートと第二透光性材１３のエッチングレートとをほぼ等しくして、エッチングを行う。斯うすると、エッチング後に形成される第二透光性材１３の形状は、リフロー後のフォトレジストの形状とほぼ同じとなる。即ち、リフロー後のフォトレジストの形状が、第二透光性材１３に転写されて、第二透光性材１３は凸形状となる。第二透光性材１３が酸窒化珪素膜や窒化珪素膜の場合、フォトレジストのエッチングレートと第二透光性材１３のエッチングレートとをほぼ等しくするには、フッ化炭素（例えば四フッ化炭素、ＣＦ4）と酸素とを原料ガスとして、反応性イオンエッチング法（Ｒｅａｃｔｉｖｅ  Ｉｏｎ  Ｅｔｃｈｉｎｇ）等のプラズマエッチング法を用いる事ができる。この際にフッ化炭素と酸素との割合を適宜調整する事で、フォトレジストのエッチングレートと第二透光性材１３のエッチングレートとをほぼ等しくする事ができる。
【０１０６】
次に、図１３（ｅ）に示す様に、凸部１５ａ、１５ｄを第二透光性材１３の屈折率とは異なる屈折率を有する第一透光性材１１にて覆う工程を行う。具体的には、第二透光性材１３よりも屈折率が低い第一透光性材１１を、凸形状をなす第二透光性材１３を覆う様に形成する。第一透光性材１１としては、酸化珪素膜を用いる事ができる。まず、凸形状の第二透光性材１３の全領域を覆う様に、光透過性を有し、第二透光性材１３よりも低い屈折率を有する無機材料からなる第一透光性材１１を成膜する。第一透光性材１１は、例えばＣＶＤ法を用いて形成する事ができる。第一透光性材１１は第二透光性材１３の上面に堆積する様に形成される為、第一透光性材１１の表面は第二透光性材１３に起因する凹凸が反映された凹凸形状となる。そこで、第一透光性材１１を堆積した後に、この膜に対して平坦化処理を施す。平坦化処理では、例えば、化学機械的研磨法（Ｃｈｅｍｉｃａｌ  Ｍｅｃｈａｎｉｃａｌ  Ｐｏｌｉｓｈｉｎｇ）等を用いて、第一透光性材１１の上層の凹凸が形成された部分を研磨して除去する事により、第一透光性材１１の上面が平坦化される。第一透光性材１１の上面が平坦化されると、マイクロレンズアレイ１０が完成する。マイクロレンズアレイ１０が完成した際には、凸形状の第二透光性材１３の表面は凹部１２となる。
【０１０７】
斯うした製造方法を採っても、実施形態１と同じ効果が得られる。
本発明は上述した実施形態に限定されず、上述した実施形態に種々の変更や改良などを加えることが可能である。変形例を以下に述べる。
（変形例１）
「平坦部の形状が異なる形態」
図１４は、変形例１に係わるマイクロレンズの一例を説明した図である。次に、図１４を参照して変形例１に係わるマイクロレンズアレイ１０を説明する。尚、実施形態１乃至５と同一の構成部位については、同一の符号を附し、重複する説明は省略する。
【０１０８】
実施形態１のマイクロレンズアレイ１０では、図４や図５に示される様に、平坦部１２ａは四角形であった。これに対して、本変形例では、平坦部１２ａの形状が異なっている。それ以外は実施形態１と同様である。
【０１０９】
図１４に示す様に、平坦部１２ａの形状は、平坦部１２ａの中心の回りに±１５°以内での回転対称性を示さない平面形状であれば、その平面形状は限定されない。例えば、図１４（ａ）に示す様に、平坦部１２ａの形状を正六角形としても良い。正六角形は中心の回りに６０°の回転対称性を有すが、±１５°以内では回転対称性を示さない。その為に、セルＣＬ毎にマイクロレンズＭＬの方向を±１５°以内で変える事が可能となる。
【０１１０】
又、例えば、図１４（ｂ）に示す様に、平坦部１２ａの形状を十字形としても良い。十字形は中心の回りに９０°の回転対称性を有すが、±１５°以内では回転対称性を示さない。その為に、セルＣＬ毎にマイクロレンズＭＬの方向を±１５°以内で変える事が可能となる。
【０１１１】
又、例えば、図１４（ｃ）に示す様に、平坦部１２ａの形状を円の一部に角が設けられた雫形としても良い。雫形は回転対称性を示さない。その為に、セルＣＬ毎にマイクロレンズＭＬの方向を±１５°以内で変える事が可能となる。
【０１１２】
これらの例が示した様に、平坦部１２ａの形状は、中心の回りに±１５°以内の回転対称性を示さない形状であれば、如何なる形状でも構わない。
【符号の説明】
【０１１３】
ＣＬ…セル、Ｅ…表示領域、ＬＸ…レンズ方向、ＭＬ…マイクロレンズ、Ｐ…画素、１…液晶装置、２…走査線、３…データ線、４…容量線、５…蓄積容量、１０…マイクロレンズアレイ、１１…第一透光性材、１１ａ…上面、１２…凹部、１２ａ…平坦部、１２ｂ…曲面部、１２ｃ…周縁部、１３…第二透光性材、２０…素子基板、２１…基板、２２…遮光層、２２ａ…遮光層、２３…絶縁層、２４…ＴＦＴ、２５…絶縁層、２６…遮光層、２６ａ…遮光層、２７…絶縁層、２８…画素電極、２９…配向膜、３０…対向基板、３１…光路長調整層、３２…遮光層、３３…保護層、３４…共通電極、３５…配向膜、４０…液晶、４２…シール材、５１…データ線駆動回路、５２…走査線駆動回路、５３…検査回路、５４…外部接続端子、５５…配線、５６…上下導通部、７０…制御膜、７０ａ…開口部、７１…マスク層、７２…開口部、１００…プロジェクター、１０１…ランプユニット、１０２…インテグレーターレンズ、１０３…偏光変換素子、１０４…ダイクロイックミラー、１０５…ダイクロイックミラー、１０６…反射ミラー、１０７…反射ミラー、１０８…反射ミラー、１１０…偏光照明装置、１１１…リレーレンズ、１１２…リレーレンズ、１１３…リレーレンズ、１１４…リレーレンズ、１１５…リレーレンズ、１１６…クロスダイクロイックプリズム、１１７…投射レンズ、１２１…液晶ライトバルブ、１２２…液晶ライトバルブ、１２３…液晶ライトバルブ、１３０…スクリーン。
【図１】
2015138078.tif 000003
【図２】
2015138078.tif 000004
【図３】
2015138078.tif 000005
【図４】
2015138078.tif 000006
【図５】
2015138078.tif 000007
【図６】
2015138078.tif 000008
【図７】
2015138078.tif 000009
【図８】
2015138078.tif 000010
【図９】
2015138078.tif 000011
【図１０】
2015138078.tif 000012
【図１１】
2015138078.tif 000013
【図１２】
2015138078.tif 000014
【図１３】
2015138078.tif 000015
【図１４】
2015138078.tif 000016